(57)【要約】      （修正有）【課題】簡単な作業で、印刷物をずれることなく収納できる額縁を提供する。【解決手段】裏側に開口する扁平な直方体状の収納部１ａ及びこの収納部の前側に縁部を残して開口する開口部１ｂを有する矩形の囲繞枠体１と、この収納部の前側に配設される透明な矩形板状の面材２と、収納部における面材の裏側に配設される方形の裏板４とを備え、この面材及び裏板間に印刷物Ａを収納する印刷物用額縁であって、上記収納部の平面形状を規格用紙サイズより若干大きい形状とする。上記裏板には、木製の板本体４ａと、その板本体の表面に積層されかつ表面に微細な凹凸を有する白紙と、板本体の裏面に積層される織布４ｃとを設置する。上記面材及び裏板の厚さは収納部の深さに合致することが好ましい。【選択図】図１
0003146903.tif 000002
【実用新案登録請求の範囲】
【請求項１】
裏側に開口する扁平な直方体状の収納部及びこの収納部の前側に縁部を残して開口する開口部を有する矩形の囲繞枠体と、
この収納部の前側に配設される透明な矩形板状の面材と、
収納部における面材の裏側に配設される方形の裏板とを備え、
この面材及び裏板間に印刷物を収納する印刷物用額縁であって、
上記収納部の平面形状が規格用紙サイズより若干大きい形状であることを特徴とする印刷物用額縁。
【請求項２】
上記裏板が、
木製の板本体と、
その板本体の表面に積層されかつ表面に微細な凹凸を有する白紙と、
板本体の裏面に積層される織布と
を有している請求項１に記載の印刷物用額縁。
【請求項３】
上記面材及び裏板の厚さが収納部の深さに合致する請求項１又は請求項２に記載の印刷物用額縁。
【請求項４】
上記白紙として和紙が用いられている請求項２又は請求項３に記載の印刷物用額縁。
【請求項５】
上記白紙のベック平滑度が０．５秒以上２０秒以下である請求項２から請求項４のいずれか１項に記載の印刷物用額縁。
【考案の詳細な説明】
【技術分野】
【０００１】
本考案は、絵画や書画等を用紙に印刷した物（以下、印刷物）を収納し、壁面などに設置して展示する印刷物用額縁に関するものである。
【背景技術】
【０００２】
額縁についての背景技術を図３を用いて説明する。図３は、従来技術の額縁を示す斜視図である。額縁は、主に裏側に開口する扁平な直方体状の収納部１１ａ及びこの収納部１１ａの前側に縁部を残して開口する開口部１１ｂを有する矩形の囲繞枠体１１と、この収納部１１ａに配設される透明な矩形板状の面材１２と、前記開口部１１ｂよりも小さい開口部が中央に設けられているフレームマット１３と、裏板１４と、回動可能に一方が軸支され、裏板１４を押さえるための小片状のトンボ１５とを備える。面材１２、フレームマット１３及び裏板１４の平面サイズは、枠体１１の収納部１１ａの平面サイズと等しくなっている。
【０００３】
印刷物Ａを額縁の収納部１１ａに収納して飾る際には、面材１２とフレームマット１３をこの順序で枠体１１の収納部１１ａに裏側から収納し、その上に印刷物Ａを収納し、さらにその上に裏板１４を収納する。印刷物Ａは、枠体１１の裏側に複数取り付けられたトンボ１５を回動させて裏板１４を数カ所押圧し、留めることにより収納部１１ａ内に固定される。
【０００４】
ここで、枠体１１の収納部１１ａの平面サイズより小さいサイズの印刷物を収納する際には多少の作業を要することとなる。具体的には、枠体１１の収納部１１ａ内に面材１２とフレームマット１３をこの順序で収納し、フレームマット１３の中央上に印刷物Ａを上下左右及び斜めにずれないように丁寧に置く。その上に裏板１４を置いて、トンボ１５で押圧し、留めることによって印刷物Ａを固定することとなる。印刷物Ａをずれないように中央に置くことは慎重な作業であり、また、裏板１４を印刷物Ａの上に置く際も慎重に行わなければ印刷物Ａのずれが生じる。展示会や販売の準備などで大量に額縁に印刷物を収納する場合、この慎重な作業による時間の損失は大きいものとなる。また、高齢者らがこれらの作業を正確に行うことは容易ではない。
【０００５】
また、今日において、美術作品を多くの客に気軽に購入してもらうために、美術作品をカラープリンター等を用いて大量に印刷し、Ａ４版サイズ等規格化された用紙サイズで作品を額縁に入れて提供するビジネスも起こりつつある。また、インターネット上で電子媒体として美術作品を販売し、購入者が各自でプリントアウトして作品を入手、展示するといったビジネスモデルのためには、同様に規格化された用紙サイズで作品を提供することが必要となってくる。このような場合、Ａ４版サイズ等規格化された用紙サイズの印刷物Ａを容易に収容できる額縁が望まれている。従来技術としてフレームマットのサイズを調整することにより収納する絵画等に合わせることのできる額縁は存在するが（例えば特開平８−３２２６９２号公報）、この額縁を用いた場合も収容部内で印刷物Ａのずれは生じるため、印刷物Ａを短時間でずれることなく額縁に収容することは容易ではない。
【特許文献１】特開平８−３２２６９２号公報
【考案の開示】
【考案が解決しようとする課題】
【０００６】
本考案はこれらの不都合に鑑みてなされたものであり、簡単な作業で、誰でも容易に規格化された用紙サイズの印刷物をずれることなく額縁に収納することができる額縁の提供を目的とするものである。
【課題を解決するための手段】
【０００７】
上記課題を解決するためになされた考案は、裏側に開口する扁平な直方体状の収納部及びこの収納部の前側に縁部を残して開口する開口部を有する矩形の囲繞枠体と、この収納部の前側に配設される透明な矩形板状の面材と、収納部における面材の裏側に配設される方形の裏板とを備え、この面材及び裏板間に印刷物を収納する印刷物用額縁であって、上記収納部の平面形状が規格用紙サイズより若干大きい形状であることを特徴とする印刷物用額縁である。
【０００８】
規格用紙サイズとは、一般的に規格化されている用紙サイズで、例えば日本工業規格Ａ版（Ａ３（４２０ｍｍ×２９７ｍｍ）、Ａ４（２９７ｍｍ×２１０ｍｍ）等）、Ｂ版（Ｂ４（３６４ｍｍ×２５７ｍｍ）、Ｂ５（２５７ｍｍ×１８２ｍｍ）等）、その他官製はがきサイズ（１４８ｍｍ×１００ｍｍ）などをいう。また、本考案において、収納部の平面形状が規格用紙サイズより「若干」大きいとは、収納部の平面形状が規格用紙サイズに対して１００．３％以上１０２％以下の大きさであることをいう。
【０００９】
当該印刷物用額縁によれば、規格用紙サイズの印刷物を収納部に収納する際、印刷物を収納部に対して、上下左右、または斜めにずれることなく収めることができる。また、フレームマットを用いることなく、裏板で押圧することのみにより容易に印刷物を額縁収納部に収納し、固定することができる。すなわち、当該印刷用額縁によれば、作業者は容易にかつ短時間で、規格用紙サイズの印刷物をずれることなく収納部に収納し、固定することができる。
【００１０】
上記裏板が、木製の板本体と、その板本体の表面に積層されかつ表面に微細な凹凸を有する白紙と、板本体の裏面に積層される織布とを有していることが好ましい。当該手段によれば、裏板の微細な凹凸により裏板と印刷物との摩擦力が高まり、収納部に印刷物を収納する際の、または収納部に印刷物を収納した後の印刷物の額縁開口部に対する微妙なずれを防ぐことができる。また、当該手段によれば、白紙及び板本体の有する吸湿機能により、収納部内に密閉された印刷物の除湿効果が高まり、印刷物を良好な乾燥状態で長期間展示することができる。さらには、当該手段によれば、印刷物にコピー用紙等厚さの薄い用紙を用いた場合においても、裏板４の板本体４ａの表面に白色の和紙４ｂが積層されているため、板本体４ａの模様等が表面に透けて見えることなく印刷物を収納することができる。さらには、当該手段によれば、裏板の板本体の裏板に織布が積層されているため、印刷物の厚さに多少の厚薄がある場合にも織布の弾力性により印刷物を収納部内に納め、かつ十分な力で押圧し、ずれることなく留めることができる。
【００１１】
上記面材及び裏板の厚さが、収納部の深さに合致することが好ましい。当該手段によれば、フレームマットや厚み調整材を用いることなく、面材及び裏板のみで印刷物を十分な力で押圧し、ずれることなく留めることができる。
【００１２】
上記白紙としては和紙が用いられていることが好ましい。当該手段によれば、和紙の高い吸湿性により印刷物を良好な乾燥状態を保ったまま長時間展示することができ、また、和紙が有する微細な凹凸により印刷物のずれを効果的に防止することができる。
【００１３】
上記白紙は、ベック平滑度が０．５秒以上２０秒以下であることが好ましい。ここで、「ベック平滑度」とは、ＪＩＳＰ８１１９に規定される「紙及び板紙−ベック平滑度試験機による平滑度試験方法」準じて測定された値である。当該範囲の平滑度である白紙を裏板に備える印刷用額縁によれば、印刷物が収納部内でずれることなく最適に固定することができる。
【考案の効果】
【００１４】
以上説明したように、本考案の印刷物用額縁によれば、規格用紙サイズの印刷物を容易に収納し、印刷物の収納部内でのずれを防ぐことを可能とする。従って、当該印刷物用額縁によれば、容易にかつ短時間で、規格用紙サイズの印刷物を額縁に収納することが可能となり、印刷物を良好な乾燥状態で長期間展示することができる。
【考案を実施するための最良の形態】
【００１５】
以下、適宜図面を参照しつつ本考案を詳述するが、この記載に基づいて本考案が限定的に解釈されるものではない。
【００１６】
図１は本考案の一実施形態に係る印刷用額縁を示す斜視図であり、図２は図１の印刷物用額縁の部分的拡大断面図である。
【００１７】
図１の印刷用額縁は、囲繞枠体１と、面材２と、裏板４とを備えている。
【００１８】
囲繞枠体１は、矩形に形成され、裏側に開口する扁平な直方体状の収納部１ａと、この収納部１ａの前側に縁部を残して開口する開口部１ｂと、裏面に回動可能に付設されるトンボ５と、吊金具６とを主に備えている。囲繞枠体１のサイズは、収納する印刷物の用紙サイズやデザイン性により適宜選定される。本実施形態においては、日本工業規格Ａ４（２１０ｍｍ×２９７ｍｍ）サイズの用紙の印刷物に対応した印刷物用額縁としており、囲繞枠体１のサイズは縦約３０ｃｍ、横約４０ｃｍである。また、囲繞枠体１は、四辺を構成する木製の板材を成形加工されている。囲繞枠体１の表面には、塗料等の塗装や、合成樹脂等などによる装飾加工等をすることもできる。
【００１９】
収納部１ａは、扁平な直方体状に囲繞枠体１の裏面中央に設けられ、この中に面材２、印刷物Ａ及び裏板４が収納される。当該収納部１ａの平面サイズは、収容される印刷物ＡのサイズであるＡ４（２１０ｍｍ×２９７ｍｍ）サイズの１００．３％以上１０２％以下であることが好ましく、本実施例においては縦横ともに約２ｍｍ（印刷物に対して約１％）の余裕を持たせた平面サイズ（２１２ｍｍ×２９９ｍｍ）となっている。また、収納部１ａの深さは７ｍｍである。当該印刷物用額縁によれば、収納部１ａの平面サイズが約２ｍｍの余裕を有する大きさとなっていることにより、印刷物Ａを容易に収容部１ａ内に収容させることができる。また、印刷物Ａの用紙サイズに若干の誤差がある場合も十分収納することができ、この程度の余裕であれば印刷物Ａの傾きが視認されない。なお、この余裕が大きすぎると印刷物Ａの収容部１ａ内でのずれが大きくなるので好ましくない。
【００２０】
開口部１ｂは、直方体状に収納部１ａの前側に設けられ、縦１９６ｍｍ、横２８３ｍｍの大きさで囲繞枠体１の表側中央に開口している。当該開口部１ｂから印刷物Ａは鑑賞される。開口部１ｂと収納部１ａの大きさの差異（縦横ともに１６ｍｍ）が、幅８ｍｍのいわゆるカカリ１ｃといわれる段部となる。このカカリ１ｃ上に収納部１ａとして印刷物Ａ等が収納される。
【００２１】
面材２は、長方形状に形成されている。当該面材２は、透明な材質のものであり、本実施例においてはアクリル板を採用している。面材２のサイズは印刷物Ａと同じ大きさとなるため、日本工業規格Ａ４（２１０ｍｍ×２９７ｍｍ）サイズとしており、厚さは２ｍｍである。なお、アクリル板以外にも透明な材質なものとして、他の合成樹脂やガラス板等を用いることも可能である。当該面材２は、収納部１ａ内で表側から印刷物Ａを押さえて固定するとともに、印刷物Ａを前面から保護している。
【００２２】
裏板４は、扁平な直方体状を有し、木製の板本体４ａと、白色の和紙４ｂと、織布４ｃとを備えている。裏板４のサイズとしては、平面形状が日本工業規格Ａ４（２１０ｍｍ×２９７ｍｍ）サイズであり、厚さは５ｍｍである。当該裏板４は、収納部１ａ内で裏側から印刷物Ａを押さえて固定するとともに、印刷物Ａを裏側から保護している。
【００２３】
板本体４ａは、平面形状が日本工業規格Ａ４（２１０ｍｍ×２９７ｍｍ）サイズ、厚さが４ｍｍの合板である。印刷物Ａを裏面から押圧することにより固定するとともに、印刷物Ａを裏面から保護するものである。板本体４ａの素材としては合板に特に限定されないが、吸湿性の点から単板、その他パーティクルボード等、木材を用いることが好ましく、その他、吸湿性を有する厚手の紙等も用いることができる。吸湿性のある素材を用いることにより、収納部１ａ内に密閉された印刷物Ａの除湿効果が高まり、印刷物Ａを良好な乾燥状態で長期間展示することができる。なお、吸湿性を有しない金属板や合成樹脂板等、他の素材を用いることも可能である。
【００２４】
和紙４ｂは、表面に微細な凹凸を有する白色のもので、板本体４ａの表面全面に積層され、接着剤等により固定されている。和紙４ｂの材料としては、楮、雁皮、三椏等が適宜用いられるが、繊維が太くて長く丈夫な楮が好適に用いられる。
【００２５】
当該和紙４ｂによれば、表面の微細な凹凸の存在により印刷物Ａと裏板４との摩擦力が高まり、収納部１ａに印刷物Ａを収納する際の、または収納部１ａに印刷物Ａを収納した後の印刷物の額縁開口部１ｂに対する微妙なずれを防ぐことができる。
【００２６】
和紙４ｂの平滑度としては、ベック平滑度が０．５秒以上２０秒以下のものが好適に用いられる。平滑度が当該範囲を超える（凹凸が小さい）場合は十分な摩擦力が生じず、また平滑度が当該範囲未満（凹凸が大きい）であれば、印刷物Ａが押圧される際に、印刷物にまで凹凸が映ってしまうおそれがあるためである。なお、凹凸のある白紙としては、和紙に限定されず、その他の繊維の粗い紙や、紙に他の素材を混合させることにより凹凸を施したものなどを用いること等も可能である。また、紙は無酸性紙のものがよい。酸性紙であると、作品が酸によって傷んでしまうおそれがあるからである。
【００２７】
また、当該和紙４ｂによれば、和紙４ｂの有する吸湿機能により、収納部１ａ内に密閉された印刷物Ａの除湿効果が高まり、印刷物Ａを良好な乾燥状態で長期間展示することができる。さらには、当該印刷物用額縁によれば、印刷物Ａにコピー用紙等厚さの薄い用紙を用いた場合も、裏板４の板本体４ａの表面に白色の和紙４ｂが積層されているため、板本体４ａの模様等が表面に透けて見えることなく印刷物Ａを収納することができる。
【００２８】
織布４ｃは、厚さが１ｍｍであり、板本体４ａの裏面全面に積層され、接着剤等で固定されている。織布４ｃの材質としては一定の弾力性を有していれば特に限定されず、ナイロン、アクリル、ポリウレタン、ポリエステル等の合成繊維、綿、麻、絹等の天然繊維等が額縁全体の色調等に合わせて適宜採用される。当該印刷物用額縁によれば、裏板４の板本体４ａの裏面に織布４ｃが積層されているため、印刷物Ａの厚さに多少の厚薄がある場合にも織布４ｃの弾力性により印刷物Ａを収納部１ａ内に納め、かつ十分な力で押圧し、ずれることなく留めることができる。
【００２９】
トンボ５は、金属製で楕円板状に形成されている。当該トンボ５は、囲繞枠体１の縁部裏面の収納部１ａの近辺に短片側に各１個、長辺側に各２個の計６個ほどが回動可能に螺設されている。トンボ５のサイズとしては、長さ１ｃｍ以上３ｃｍ以下、幅３ｍｍ以上１ｃｍ以下であることが好ましい。当該トンボ５により、収納部１ａ内に収納された印刷物Ａ等を固定することができる。
【００３０】
吊金具６は、囲繞枠体１の縁部裏面に各辺に１カ所ずつ計４個螺設されている。吊金具６は、各辺の中央に位置せず、一方に寄った対辺の同士の吊金具の位置が等しい位置に螺設されている。当該吊金具６に吊糸を通すことにより、当該印刷物用額縁を縦横いずれの向きにも壁等に展示することができる。
【００３１】
以下、当該印刷物用額縁の使用方法を説明する。囲繞枠体１を裏向きに静置し、まず面材２を収納部１ａに収納する。その上にＡ４サイズの印刷物Ａを印刷物用額縁の表側に印刷物Ａの表面が向くように収納し、さらにその上に裏板４を和紙４ｂが印刷物Ａと接触する向きに収納する。収納部１ａの平面形状は、Ａ４（２１０ｍｍ×２９７ｍｍ）サイズの大きさに縦横ともに２ｍｍ程度の余裕を持たせた大きさ（２１２ｍｍ×２９９ｍｍ）であり、面材２、印刷物Ａ及び裏板４は全てＡ４（２１０ｍｍ×２９７ｍｍ）サイズの大きさである。従って、面材２、印刷物Ａ及び裏板４は全て収納部１ａ内中央に、上下左右及び斜めにずれることなく収納される。面材２、印刷物Ａ及び裏板４を収納部１ａ内に収納した後、トンボ５で裏板４を数カ所押圧することにより印刷物Ａが収納部１ａに容易に固定される。
【００３２】
図２に示すとおり、当該印刷物用額縁によれば、収納部１ａの深さが７ｍｍ、面材２の厚さ２ｍｍ、裏板４の厚さ５ｍｍとなっており、収納部１ａの深さが面材２及び裏板４の厚さに合致するように設計されている。従って、印刷物Ａは面材２及び裏板４に挟まれた状態で収納部の深さに収まり、トンボ５で確実に固定されることができる。さらには、裏板４の裏面に織布４ｃが積層されているので、印刷物Ａが多少厚い用紙である場合でも、織布４ｃがクッションとなり厚みが調整され、収納部１ａ内に収まり固定されることができる。裏板４の表面には、表面に微細な凹凸を有する白色の和紙４ｂが積層されているので、微細な凹凸により裏板４と印刷物Ａとの摩擦力が高く、収容部１ａに印刷物Ａを収納する際の、または収容部１ａに印刷物Ａを収納した後の印刷物Ａの開口部１ｂに対する微妙なずれを防ぐことができる。
【００３３】
当該印刷物用額縁は、囲繞枠体１の裏面に螺設された吊金具６に吊糸を通し、吊糸を壁に付けたフック等に掛けることにより、額縁を壁に掛けることにより展示することができる。また、吊金具６を用いて壁に掛け飾る以外にも、囲繞枠体１の裏面の３角部に穿設された穴７のうち隣接する２カ所に所定長さの棒を挿入することで、縦又は横に机上に立たせて飾ることも可能である。
【００３４】
なお、本考案の印刷物用額縁は上記実施形態に限定されるものではない。例えば、サイズをＡ４サイズの印刷物に対応するもの以外に、Ａ３版（４２０ｍｍ×２９７ｍｍ）、Ｂ４版（３６４ｍｍ×２５７ｍｍ）、Ｂ５版（２５７ｍｍ×１８２ｍｍ）等）、その他官製はがきサイズ（１４８ｍｍ×１００ｍｍ）等に対応したサイズとすることも可能である。
【００３５】
また、囲繞枠体１の材質としては、加工が容易で、比較的軽量なものであれば、木材以外に、アルミニウム等金属材料や、合成樹脂等も用いることも可能である。
【００３６】
さらには、収納部１ａの深さ、面材２の厚さ及び裏板４の厚さは、上記のそれぞれ７ｍｍ、２ｍｍ及び５ｍｍに限定されず、収納部１ａの深さが、面材２及び裏板４の厚さの合計と一致するように設計されればよい。
【産業上の利用可能性】
【００３７】
以上のように、本考案の印刷物用額縁は、規格化されたサイズの用紙に印刷された絵画等を容易に収納する印刷物用額縁として用いる際に有用であり、特にカラーコピー機などを用いて絵画等を多量に印刷し、額縁に装着し販売する際などに好適に使用される。
【図面の簡単な説明】
【００３８】
【図１】本考案の一実施形態に係る印刷物用額縁を示す斜視図
【図２】図１の印刷物用額縁の部分的拡大断面図
【図３】従来技術の額縁を示す斜視図
【符号の説明】
【００３９】
１    囲繞枠体
１ａ  収納部
１ｂ  開口部
１ｃ  カカリ
２    面材
４    裏板
４ａ  板本体
４ｂ  和紙
４ｃ  織布
５    トンボ
６    吊金具
７    穴
１１  囲繞枠体
１１ａ収納部
１１ｂ開口部
１１ｃカカリ
１２  面材
１３  フレームマット
１４  裏板
１５  トンボ
Ａ    印刷物
【図１】
0003146903.tif 000003
【図２】
0003146903.tif 000004
【図３】
0003146903.tif 000005